(57)【要約】【課題】隣接するつまみ部どうしを交差させたり広げたりして使用することが容易な止着テープを提供する。【解決手段】テープ基材２に留め具３が設けられた止着テープ１であって、使い捨ておむつ本体に取り付けられる固定部４と、固定部４から延在する中間部５と、中間部５から延在する複数のつまみ部６とを有し、留め具３は複数のつまみ部６に各々設けられ、中間部５には、隣接するつまみ部６の間に、固定部４側に延びる薄肉部７が形成されている止着テープ。【選択図】図４
2011200336.tif 000002
【特許請求の範囲】
【請求項１】
テープ基材に留め具が設けられた止着テープであって、
使い捨ておむつ本体に取り付けられる固定部と、前記固定部から延在する中間部と、前記中間部から延在する複数のつまみ部とを有し、
前記留め具は、複数のつまみ部に各々設けられ、
前記中間部には、隣接するつまみ部の間に、前記固定部側に延びる薄肉部が形成されていることを特徴とする止着テープ。
【請求項２】
隣接するつまみ部の輪郭が、つまみ部の間がＶ字の谷間に相当するＶ字形状を有する請求項１に記載の止着テープ。
【請求項３】
前記薄肉部は、前記Ｖ字形状の谷間を起点に前記固定部側に延びる請求項２に記載の止着テープ。
【請求項４】
前記止着テープは前記つまみ部を２つ有し、
前記留め具として、一方向に配向した複数のフックが設けられたフック部材が設けられ、
一方のつまみ部に設けられたフック部材のフックの配向方向と他方のつまみ部に設けられたフック部材のフックの配向方向が異なる請求項１〜３のいずれか一項に記載の止着テープ。
【請求項５】
請求項１〜４のいずれか一項に記載の止着テープを備えた使い捨ておむつであって、
前記使い捨ておむつは、前腹部と後背部とこれらの間に位置する股部とからなる使い捨ておむつ本体を有し、
前記止着テープが、前記固定部で、使い捨ておむつ本体の前腹部または後背部の側端部に取り付けられていることを特徴とする使い捨ておむつ。
【発明の詳細な説明】
【技術分野】
【０００１】
本発明は、止着テープおよびこの止着テープを備えた使い捨ておむつに関するものである。
【背景技術】
【０００２】
従来、止着テープを備えた使い捨ておむつが知られている。使い捨ておむつに取り付けられる止着テープとして、例えば特許文献１には、複数のつまみ部を有し、各つまみ部に留め具が設けられ、複数のつまみ部の間に易切開線が形成されている止着テープが開示されている。特許文献１では、易切開線は、破断状に切れ目が形成されたもの、あるいは加熱により実線状または破断状の脆弱化部分が形成されたものであることが示されている。
【先行技術文献】
【特許文献】
【０００３】
【特許文献１】特開２００６−２４７１７９号公報
【発明の概要】
【発明が解決しようとする課題】
【０００４】
ところで、特許文献１に開示されるような複数のつまみ部を有する止着テープは、着用者の体型に合わせて、隣接するつまみ部どうしを交差させたり広げたりして使用する場合がある。この場合、止着テープを歪ませて使用する必要がある。一方、使い捨ておむつに用いられる止着テープは、使用する際に強く引っ張られたりするのに耐えうる十分な強度や剛性を有することが求められる。そのような止着テープは柔軟性に欠いたりして、隣接するつまみ部どうしを交差させたり広げて使用することが難しい場合がある。
【０００５】
本発明は前記事情に鑑みてなされたものであり、その目的は、隣接するつまみ部どうしを交差させたり広げたりして使用することが容易な止着テープ、およびそれを備えた使い捨ておむつを提供することにある。
【課題を解決するための手段】
【０００６】
前記課題を解決することができた本発明の止着テープとは、テープ基材に留め具が設けられ、使い捨ておむつ本体に取り付けられる固定部と、固定部から延在する中間部と、中間部から延在する複数のつまみ部とを有する止着テープであって、留め具が複数のつまみ部に各々設けられ、中間部には隣接するつまみ部の間に固定部側に延びる薄肉部が形成されているところに特徴を有する。本発明の止着テープは薄肉部を有しているため、薄肉部でテープ基材を歪ませたり折り畳むことが容易になり、歪んだテープ基材が薄肉部で嵩張りにくくなる。従って、隣接するつまみ部どうしを交差させたり広げたりして使用することが容易になる。
【０００７】
止着テープは、隣接するつまみ部の輪郭が、つまみ部の間がＶ字の谷間に相当するＶ字形状を有することが好ましい。このようにつまみ部の輪郭が形成されていれば、Ｖ字形状の谷間を支点として隣接するつまみ部どうしを交差させたり広げたりすることが容易になる。
【０００８】
薄肉部は、Ｖ字形状の谷間を起点に固定部側に延びていることが好ましい。このように薄肉部が形成されていれば、隣接するつまみ部どうしを交差させたり広げたりした場合、Ｖ字形状の谷間から薄肉部に力が伝わりやすくなり、薄肉部を歪ませたり折り畳むことが容易になる。
【０００９】
止着テープはつまみ部を２つ有し、各つまみ部には留め具として一方向に配向した複数のフックが設けられたフック部材が設けられ、一方のつまみ部に設けられたフック部材のフックの配向方向と他方のつまみ部に設けられたフック部材のフックの配向方向が異なっていることが好ましい。フック部材の配向方向が異なるように複数のフック部材が設けられていれば、止着テープを一方向に引っ張っても、全てのフック部材が一度に外れることを防止しやすくなる。
【００１０】
本発明はまた、本発明の止着テープを備えた使い捨ておむつであって、前腹部と後背部とこれらの間に位置する股部とからなる使い捨ておむつ本体を有し、止着テープが、固定部で使い捨ておむつ本体の前腹部または後背部の側端部に取り付けられている使い捨ておむつも提供する。本発明の使い捨ておむつは、薄肉部が形成された止着テープを有しているため、薄肉部でテープ基材を歪ませたり折り畳むことが容易になるとともに、歪んだ止着テープが嵩張りにくくなる。従って、おむつを着用する際、隣接するつまみ部どうしを交差させたり広げたりして、つまみ部の留め具を使い捨ておむつ本体に接合することが容易になる。また、止着テープが歪んでも嵩張りにくくなるため、おむつの着用感が向上する。
【発明の効果】
【００１１】
本発明の止着テープおよび使い捨ておむつは、止着テープを、隣接するつまみ部どうしを交差させたり広げたりして使用することが容易になる。
【図面の簡単な説明】
【００１２】
【図１】本発明の止着テープの一例を表す。
【図２】本発明の止着テープの一例を表す。
【図３】本発明の止着テープの一例を表す。
【図４】本発明の止着テープの一例を表す。
【図５】本発明の止着テープの一例を表す。
【図６】本発明の止着テープの一例を表す。
【図７】図６の止着テープに設けられたフック部材のフックの配向例を表す。
【図８】本発明の止着テープを備えた使い捨ておむつの一例を表す。
【図９】図８のＡ−Ａ断面図を表す。
【発明を実施するための形態】
【００１３】
本発明の止着テープは、テープ基材に留め具が設けられたものであり、使い捨ておむつ本体に取り付けられる固定部と、固定部から延在する中間部と、中間部から延在する複数のつまみ部とを有する。
【００１４】
固定部は、テープ基材の一方端に形成され、使い捨ておむつ本体に取り付けられる部分である。使い捨ておむつ本体としては、例えば、止着テープを有しない使い捨ておむつ、すなわち止着テープが取り付けられる前の使い捨ておむつが挙げられる。固定部は、例えば、接着剤が塗布されたり熱融着や超音波接着されることにより使い捨ておむつ本体に固定される。本発明の止着テープにおいては、使い捨ておむつ本体に取り付けられる部分を固定部と規定し、中間部とつまみ部は使い捨ておむつ本体に取り付けられない。
【００１５】
中間部は、固定部から延在する部分である。中間部は、テープ基材の固定部とつまみ部との間に位置する。
【００１６】
つまみ部は、中間部から延在する部分である。つまり、つまみ部はテープ基材の他方端に形成される。止着テープにはつまみ部が複数設けられ、中間部から延びるように形成される部分がつまみ部に相当する。つまみ部と中間部は、テープ基材の他方端側の縁の隣接するつまみ部間の最も固定部側に入った地点（すなわち、谷の底部に相当する地点）を通る線で区分される。ここで、つまみ部と中間部を区分する線は、例えば、固定部から中間部への方向に対し垂直に延びるものである。従って、テープ基材の他方端は全てをつまみ部が占めるのではなく、隣接するつまみ部の間にある他方端の少なくとも一部を中間部が占める。
【００１７】
止着テープは、固定部が形成されるテープ基材の一方端が直線状の輪郭を有することが好ましい。この場合、止着テープの製造が容易になるとともに、止着テープの使い捨ておむつ本体への取り付けが容易になる。
【００１８】
止着テープは、つまみ部が形成されるテープ基材の他方端が凸状の形状を複数有することが好ましい。凸状の形状としては、例えば、弧状、蛇行線状、矩形、ジグザグ状、多角形の一部の形状等が挙げられる。テープ基材の他方端がこのような形状の輪郭を有していれば、つまみ部を掴みやすくなる。
【００１９】
複数のつまみ部には各々、留め具が設けられる。つまみ部に設けられる留め具は、使い捨ておむつを着用の際に使い捨ておむつの止着対応部に接合されることが好ましく、それにより使い捨ておむつがパンツ形状に成形される。なお、止着対応部とは、使い捨ておむつを着用の際、止着テープの留め具を接合する使い捨ておむつの部分または使い捨ておむつに取り付けられる部材を意味する。
【００２０】
留め具は、少なくともつまみ部に設けられればよく、さらに中間部に延在してもよい。なお、固定部には、留め具は設けられない。また、留め具は、テープ基材の一方の面のみに取り付けられることが好ましい。
【００２１】
留め具としては、フック・ループ・ファスナー（いわゆる、面ファスナー）のフック部材やループ部材；粘着テープ、粘着剤層等の粘着剤等が使用できる。なかでも、留め具としてはフック部材を用いることが好ましい。フック部材としては、例えば、鉤形や錨形やきのこ形等の形状のフックを有する部材を採用すればよい。
【００２２】
本発明の止着テープは、複数のつまみ部に各々留め具が設けられているため、使い捨ておむつを着用の際、それぞれの留め具の使い捨ておむつへの接合位置を、着用者の体型に合わせて調整することが容易になる。例えば、隣接するつまみ部どうしを交差させたり、あるいは広げるようにして、止着テープを使い捨ておむつの止着対応部に接合してもよい。このように止着テープを使用することにより、使い捨ておむつを着用の際、着用者の体型に合わせて腰周りや胴周りの寸法を調整しやすくなる。
【００２３】
ところで、隣接するつまみ部どうしを交差させたり広げたりする場合、テープ基材を強引に歪ませる必要が生じる場合が多い。基材テープは一般に、取り扱い性を良くするためにある程度の剛性を持たせている。例えば、基材テープが不織布から構成される場合、基材テープに使用される不織布は、使い捨ておむつ本体のトップシートやバックシートに使用される不織布よりも高い目付を有することが多い。そして、そのように基材テープが構成されることにより、基材テープに剛性が付与される。しかし一方で、テープ基材は柔軟性に欠けやすく、テープ基材を歪ませて、隣接するつまみ部どうしを交差させたり広げたりすることが難しい場合がある。また、剛性の高い基材テープを強引に歪ませることでテープ基材の歪んだ部分が嵩張って、使い捨ておむつの着用感が悪化する場合がある。
【００２４】
そこで、本発明の止着テープには、中間部に薄肉部が形成されている。具体的には、中間部には、隣接するつまみ部の間に、固定部側に延びる薄肉部が形成されている。テープ基材の薄肉部が形成される部分は、その周囲のテープ基材の厚みよりも薄く形成されている。そのため、薄肉部でテープ基材を歪ませたり折り畳むことが容易になり、薄肉部で歪んだテープ基材が嵩張りにくくなる。また、隣接するつまみ部どうしを交差させたり広げたりする場合にテープ基材が最も歪みやすい箇所として、中間部の隣接するつまみ部間に薄肉部を設けることで、隣接するつまみ部どうしを交差させたり広げたりすることが容易になる。さらに、薄肉部を、隣接するつまみ部の間に固定部側に延びるように形成することで、隣接するつまみ部どうしを交差させたり広げたりした場合に、テープ基材の歪みや折り畳み線を薄肉部で生じやすくできる。
【００２５】
薄肉部は、その周囲よりもテープ基材の厚みが薄ければよい。薄肉部は、例えば、その周囲よりもテープ基材の目付を小さくして形成したり、テープ基材の薄肉部が形成される部分を加圧することにより形成すればよい。なお、テープ基材を加圧して薄肉部を形成する場合、加圧は非加熱で行うことが好ましい。テープ基材を加熱しながら加圧すると、薄肉部の強度が低下して、止着テープの使用の際に薄肉部が破断するおそれがあるためである。
【００２６】
薄肉部は、少なくとも中間部に形成されていればよく、さらに、固定部および／またはつまみ部に延在していてもよい。
【００２７】
薄肉部は、隣接するつまみ部の間に、固定部側に延びるように形成される。隣接するつまみ部の間の位置とは、テープ基材の他方端側の縁の隣接するつまみ部間の最も固定部側に入った地点（すなわち、谷の底部に相当する地点）、またはそこから固定端側に入った地点を意味する。従って、薄肉部は、少なくとも一部が隣接するつまみ部の間の位置に形成され、固定部側に延びるように形成されていればよい。薄肉部は、中間部から固定部への方向に延びていればよく、例えば、テープ基材の延びる方向対し平行であっても斜めであってもよい。
【００２８】
薄肉部の形状は特に限定されない。薄肉部の形状としては固定部側に延びる細長い形状であることが好ましく、例えば、長方形、三角形、楕円形、台形等が挙げられる。
【００２９】
テープ基材としては、不織布、織布、編布、プラスチックフィルム、不織布とプラスチックフィルムとの積層体等を使用できる。前記積層体としては、例えば、不織布とプラスチックフィルムとが一層ずつ重ねられたものや、プラスチックフィルムを不織布で挟んで重ねられたものが示される。なかでも、テープ基材としては不織布を用いることが好ましい。この場合、テープ基材を加圧することにより薄肉部を形成することが容易になる。
【００３０】
テープ基材に用いられる不織布としては、スパンボンド法、エアースルー法、ポイントボンド法、メルトブロー法、エアレイド法やそれらの製法の組み合わせ等により製造される不織布が好ましい。さらに、スパンボンド法、またはスパンボンド法とメルトブロー法を組み合わせたＳＭＳ法により製造された不織布が好ましく、特にスパンボンド法により製造された不織布が好ましい。このような不織布を用いれば、高強度のテープ基材が得やすくなる。
【００３１】
テープ基材に用いられる不織布の材質としては、ポリプロピレン、ポリエチレン、ポリエステル、ポリアミド等の合成繊維、パルプ、絹等の天然繊維から適宜選択できる。なかでも、ポリプロピレン、ポリエチレン、ポリエステル等の合成繊維が好ましく、ポリプロピレン繊維、ポリエステル繊維がより好ましい。このような材質から得られる不織布を用いれば、高強度のテープ基材が得やすくなる。
【００３２】
テープ基材に用いられる不織布の目付は、５０ｇ／ｍ2以上が好ましく、５５ｇ／ｍ2以上がより好ましく、また１００ｇ／ｍ2以下が好ましく、８５ｇ／ｍ2以下がより好ましい。不織布の目付が５０ｇ／ｍ2以上であれば、テープ基材が引っ張っても破れない程度の十分な強度を有するようになる。不織布の目付が１００ｇ／ｍ2以下であれば、テープ基材が堅くなりすぎず、テープ基材を歪ませたり折り畳むことが容易なる。なお、薄肉部の目付は、テープ基材の目付を小さくして薄肉部を形成する場合は、前記範囲になくてもよい。
【００３３】
薄肉部の形成例について、図面を参照して説明する。図１〜図６は、本発明の止着テープの平面図を表している。
【００３４】
図１〜図６に示した止着テープ１はいずれも、テープ基材２に留め具３が設けられ、使い捨ておむつ本体に取り付けられる固定部４と、固定部４から延在する中間部５と、中間部５から延在する複数のつまみ部６とを有している。複数のつまみ部６には各々留め具３が設けられ、中間部５には、隣接するつまみ部６の間に、固定部４側に延びる薄肉部７が形成されている。
【００３５】
図１〜図６に示した止着テープ１はいずれも、つまみ部６を２つ有している。図では、固定部４と中間部５とつまみ部６を、便宜的に点線で区分して表示している。また、図では、止着テープ１の左側がテープ基材２の一方端を、右側がテープ基材２の他方端を表している。
【００３６】
図１〜図３に示した止着テープ１は、つまみ部６が形成されるテープ基材２の他方端が蛇行線状の輪郭を有している。図１〜図３に示した止着テープ１は、つまみ部６の間の谷の底部が直線部分を有している。
【００３７】
図１の止着テープ１では、つまみ部６の間の谷の底部の直線部分を起点として、薄肉部７が固定部４側に延びている。図１では、薄肉部７の形状は長方形である。このように止着テープ１に薄肉部７が形成されていると、薄肉部７でテープ基材２を歪ませたり折り畳むことが容易になり、隣接するつまみ部６どうしを交差させたり広げたりすることが容易になる。
【００３８】
図２の止着テープ１は、図１の止着テープ１と異なり、薄肉部７が、つまみ部６の間の谷の底部よりも固定部４側に入ったところを起点として、固定部４側に延びている。薄肉部７は、図２に示すように、テープ基材２の他方端側の縁よりも内方を起点に固定部４側に延びていてもよい。このように薄肉部７が形成されることにより、隣接するつまみ部６どうしを引っ張っても、テープ基材２が他方端側の縁から破断しにくくなる。しかし、止着テープ１は、隣接するつまみ部６どうしを交差させる場合、テープ基材２の他方端に近い部分ほど歪みやすいことから、薄肉部７がテープ基材２の他方端側の縁まで形成されていることが好ましい。従って、図２の止着テープ１は、隣接するつまみ部６どうしを広げて用いる場合に特に好適に使用される。
【００３９】
図３の止着テープ１では、薄肉部７が、固定部４側がつまみ部６側よりも幅狭に形成されている。止着テープ１は、隣接するつまみ部６どうしを交差させる場合、テープ基材２の他方端に近い部分ほど歪みやすいことから、図３の止着テープ１は、隣接するつまみ部６どうしを交差させて用いる場合に特に好適に使用される。なお、図３では、薄肉部７が略三角形状に形成されているが、固定部４側がつまみ部６側よりも幅狭に形成されている限り、例えば略台形形状や略五角形状でも同様の効果が得られる。
【００４０】
図４〜図６には、図１〜図３に示した止着テープとはつまみ部の形状が異なる止着テープを示す。図４〜図６に示した止着テープ１は、隣接するつまみ部６の輪郭が、つまみ部６の間がＶ字の谷間に相当するＶ字形状を有している。隣接するつまみ部６の輪郭がＶ字形状を有していれば、Ｖ字形状の谷間を支点として隣接するつまみ部６どうしを交差させたり広げたりすることが容易になる。
【００４１】
隣接するつまみ部６の輪郭がＶ字形状を有する場合、薄肉部７は、Ｖ字形状の谷間８を起点に固定部４側に延びていることが好ましい。隣接するつまみ部６どうしを交差させたり広げたりする場合、つまみ部６間のＶ字形状の谷間８に応力が集中しやすい。この場合、薄肉部７がＶ字形状の谷間８を起点に固定部４側に延びていれば、Ｖ字形状の谷間８から薄肉部７に力が伝わりやすくなり、薄肉部７を歪ませたり折り畳むことが容易になる。
【００４２】
図４に示した止着テープ１は、隣接するつまみ部６の輪郭が、つまみ部６の間がＶ字の谷間に相当するＶ字形状を有し、薄肉部７が、Ｖ字形状の谷間８を起点に固定部４側に延びている。図４では、薄肉部７の形状は略長方形である。すなわち、薄肉部７が、つまみ部６側から固定部４側にかけて略同幅に形成されている。このように止着テープ１に薄肉部７が形成されていると、薄肉部７でテープ基材２を歪ませたり折り畳むことが容易になり、隣接するつまみ部６どうしを交差させたり広げたりすることが容易になる。
【００４３】
図５の止着テープ１では、薄肉部７が、固定部４側がつまみ部６側よりも幅広に形成されている。隣接するつまみ部６の輪郭がＶ字形状を有していれば、止着テープ１は特に隣接するつまみ部６どうしを広げて使用することが容易になる。また、薄肉部７が、固定部４側がつまみ部６側よりも幅広に形成されていれば、薄肉部７の固定部４側がより歪みやすくなり、隣接するつまみ部６どうしを広げて使用することが容易になる。従って、図５の止着テープ１は、隣接するつまみ部６どうしを広げて使用する場合に特に好適に使用できる。なお、図５では、薄肉部７が三角形状に形成されているが、固定部４側がつまみ部６側よりも幅広に形成されている限り、例えば略台形形状や略五角形状でも同様の効果が得られる。
【００４４】
図６の止着テープ１は、図４の止着テープ１と異なり、つまみ部６が中間部５の外縁よりも外方に延出している。詳細には、固定部４からつまみ部６にかけての方向を長手方向とし、長手方向と垂直な方向を幅方向としたとき、つまみ部６が中間部５の外縁よりも幅方向の外方に延出している。なお、長手方向と幅方向はテープ基材２上にある。止着テープ１は図６のように形成されていてもよく、この場合、隣接するつまみ部６どうしを広げて使用することが容易になる。
【００４５】
図１〜図６に示した止着テープ１はいずれもつまみ部６が２つ設けられていたが、このように止着テープ１はつまみ部６を２つ有することが好ましい。止着テープがつまみ部を２つ有していれば、つまみ部を３つ以上有する場合と比較して、止着テープの取り扱い性が向上する。つまり、２つのつまみ部を有する止着テープであれば、隣接するつまみ部どうしを交差させたり広げたりすることが容易になる。
【００４６】
止着テープがつまみ部を２つ有し、留め具としてフック部材を用いる場合は、一方のつまみ部に設けられるフック部材のフックの配向方向が、他方のつまみ部に設けられるフック部材のフックの配向方向と異なることが好ましい。すなわち、留め具として、一方向に配向した複数のフックが設けられたフック部材が設けられ、一方のつまみ部に設けられたフック部材のフックの配向方向と他方のつまみ部に設けられたフック部材のフックの配向方向が異なることが好ましい。これについて、以下に説明する。
【００４７】
フック・ループ・ファスナー（いわゆる、面ファスナー）のフック部材は一般に、平面状の基盤から、鉤形や錨形やきのこ形等の形状のフックが複数突出している。つまり、基盤からフックとして複数のピンが突出しており、ピンの頂部がフックの形状に応じて様々な形状を有している。例えば、鉤形のフックの場合には、ピンの頂部が一方向に曲がっている。錨形のフックの場合には、ピンの頂部に横木が設けられている。きのこ形のフックの場合には、ピンの頂部にキャップが設けられている。このキャップは、端軸方向と長軸方向を有するなど、異方性を有していてもよい。そして、基盤から突出している複数のフックは、一方向に配向しているのが一般である。例えば、鉤形のフックの場合はピンの頂部が曲がっている方向が一方向に配向しており、錨形のフックの場合は横木の延びる方向が一方向に配向しており、きのこ形のフックでキャップが長軸方向を有する場合は、キャップの長軸方向が一方向に配向している。
【００４８】
一方のつまみ部に設けられたフック部材のフックの配向方向と他方のつまみ部に設けられたフック部材のフックの配向方向が異なる場合、止着テープを一方向に引っ張っても、全てのフック部材が一度に外れることを防止しやすくなる。また、止着テープを使用する際のつまみ部の引張方向に合わせてフック部材のフックの配向方向を設定すれば、各つまみ部のフック部材の係合力を高めることができる。
【００４９】
図７には、図６に示した止着テープ１について、各つまみ部６のフック部材３のフック９の配向方向の好ましい例を示した。図７では、各フック９の配向方向をそれぞれ直線で表している。図７では、いずれのつまみ部６においても、フック部材３のフック９が、つまみ部６の延びる方向（つまみ部６の幅に対する中心線方向）に配向している。このようにフック部材３のフック９が配向していれば、各つまみ部６のフック部材３の係合力を高めることができる。
【００５０】
次に、本発明の止着テープを備えた使い捨ておむつについて説明する。本発明の使い捨ておむつは、前腹部と後背部とこれらの間に位置する股部とからなる使い捨ておむつ本体を有し、止着テープが固定部で使い捨ておむつ本体の前腹部または後背部の側端部に取り付けられている。なお、使い捨ておむつを着用の際に、着用者の腹側に当てる部分を前腹部と称し、着用者の尻側に当てる部分を後背部と称し、前腹部と後背部との間に位置し着用者の股間に当てる部分を股部と称する。
【００５１】
使い捨ておむつ本体は、例えば、液透過性のトップシートと液不透過性のバックシートとの間に吸収性コアが挟み込まれた積層体を有し、この積層体が前腹部と後背部とこれらの間に位置する股部とを有するものであってもよい。また、使い捨ておむつ本体は、前腹部と後背部とこれらの間に位置する股部とを有する外装シートと、液透過性のトップシートと液不透過性のバックシートとの間に吸収性コアが挟み込まれた吸収性本体とを有し、吸収性本体が外装シートの股部の着用者側の面に配されているものであってもよい。
【００５２】
使い捨ておむつは、テープ基材の固定部を使い捨ておむつ本体に固定することにより、止着テープが取り付けられる。テープ基材の固定部は、例えば、使い捨ておむつ本体を構成する２つの部材間に取り付けられてもよく、使い捨ておむつ本体を構成する部材の片面に取り付けられてもよい。テープ基材の固定部は、例えば、トップシートとバックシートとの間に取り付けられたり、サイドシートとバックシートとの間に取り付けられたり、外装シートの片面に取り付けられたりする。
【００５３】
止着テープは、前腹部の左側端部、前腹部の右側端部、後背部の左側端部、および後背部の右側端部よりなる群から選ばれる少なくとも１ヶ所に取り付けられる。好ましくは、前腹部の左側端部と右側端部に、または後背部の左側端部と右側端部に、一対の止着テープが取り付けられる。
【００５４】
使い捨ておむつ本体には、止着対応部が設けられることが好ましい。止着対応部とは、止着テープの留め具と着脱自在に接合可能な部分または部材を意味する。止着テープが前腹部に取り付けられる場合は、止着対応部が、使い捨ておむつ本体の後背部に設けられることが好ましい。また、止着テープが後背部に取り付けられる場合は、止着対応部が、使い捨ておむつ本体の前腹部に設けられることが好ましい。
【００５５】
止着テープは、留め具を有する面が着用者側に面するように、使い捨ておむつ本体に取り付けられることが好ましい。この場合、止着対応部は、使い捨ておむつ本体の外面、すなわち着用者に面する側と反対側に設けられることが好ましい。
【００５６】
従って、本発明においては、一対の止着テープが、前腹部または後背部の左側端部と右側端部に、留め具が取り付けられる面が着用者側に面するように使い捨ておむつ本体に取り付けられ、止着対応部が、使い捨ておむつ本体の外面の後背部または前腹部に設けられることが好ましい。この場合、使い捨ておむつを着用するには、後背部に取り付けられた止着テープを、前腹部に設けられた止着対応部と接合させたり、前腹部に取り付けられた止着テープを、後背部に設けられた止着対応部と接合させたりする。
【００５７】
本発明の使い捨ておむつは、薄肉部が形成された止着テープを有しているため、薄肉部でテープ基材を歪ませたり折り畳むことが容易になるとともに、薄肉部で歪んだテープ基材が嵩張りにくくなる。従って、おむつを着用する際、隣接するつまみ部どうしを交差させたり広げたりして、つまみ部の留め具を使い捨ておむつ本体の止着対応部等に接合することが容易になる。また、止着テープが歪んでも嵩張りにくくなるため、おむつの着用感が向上する。
【００５８】
本発明の使い捨ておむつの各部材の材料について説明する。トップシートは液透過性の不織布等により構成され、バックシートと外装シートは液不透過性のプラスチックフィルムや撥水性不織布等により構成されることが好ましい。外装シートは、また、親水性不織布と、液不透過性のプラスチックフィルムまたは撥水性不織布等の撥水性材料からなる積層体であってもよい。
【００５９】
トップシートやバックシートが不織布により構成される場合、トップシートやバックシートに用いられる不織布の目付は、止着テープに用いられる不織布の目付よりも少ない方が好ましい。トップシートやバックシートに用いられる不織布の目付は、例えば、５ｇ／ｍ2〜３５ｇ／ｍ2である。
【００６０】
吸収性コアは、例えば、粉砕したパルプ繊維やセルロース繊維等の親水性繊維集合層に粒状の高分子吸水性樹脂を混合した塊を、ティッシュペーパーなどの紙シートまたは液透過性不織布シート等の被覆シートで包み、長方形、砂時計型、ひょうたん型、羽子板型等の所定形状に成形することにより得られる。
【００６１】
止着対応部は、留め具が接合可能な材料で構成されていることが好ましい。留め具として粘着剤を用いる場合は、止着対応部としてプラスチックフィルムを用いることが好ましい。留め具としてフック部材を用いる場合は、止着対応部としてはループ部材を用いることが好ましい。ループ部材としては、不織布、織布、編布や、不織布または織布を表面に有するプラスチックフィルム複合材料等を用いることができる。前記各材料には、表面にループ構造が形成されていることが好ましい。また、例えば、止着対応部が使い捨ておむつ本体の外面に設けられる場合、バックシートや外装シートが止着対応部として機能する材料で作られていれば、止着対応部として機能する他の部材を取り付けなくてもよい。
【００６２】
使い捨ておむつの様々な構成部材を接合するための接合手段としては、接着剤、熱融着、超音波接着等を用いることができる。接着剤としては、ポリオレフィン系、ゴム系、酢酸ビニル系等のホットメルト接着剤を使用することができる。
【００６３】
本発明の使い捨ておむつの一例について、図８および図９を参照して説明する。図８は本発明の使い捨ておむつの一例を表し、図９は図８のＡ−Ａ断面図を表す。図８および図９では、矢印ｘを左右方向とし、矢印ｙを前後方向と定義付ける。また、矢印ｘ，ｙにより形成される面に対して垂直方向を上下方向（厚み方向）ｚと定義付ける。
【００６４】
使い捨ておむつ１０は、前腹部Ｐと後背部Ｑとこれらの間に位置する股部Ｒとからなる使い捨ておむつ本体１１を有する。股部Ｒには、着用者の脚を通しやすくするために、レッグ用切欠２４が形成されている。
【００６５】
使い捨ておむつ本体１１は、液透過性のトップシート１２と液不透過性のバックシート１３との間に吸収性コア１４が挟み込まれた積層体を有し、この積層体が前腹部Ｐと後背部Ｑとこれらの間に位置する股部Ｒとを有している。トップシート１２は、着用者の肌に面するように配置され、尿等の排泄物を透過する。トップシート１２を透過した排泄物は、吸収性コア１４により収容される。バックシート１３は、排泄物が外部へ漏れるのを防ぎ、衣服等が汚れるのを防ぐ。
【００６６】
トップシート１２には、前後方向ｙに延在したサイドシート１５が、使い捨ておむつ１０の左右方向ｘの側端部に設けられている（図９）。サイドシート１５は、トップシート１２の左右方向ｘの外方端に接合されている。サイドシート１５には、内方端に起立用弾性部材２２が配されている。使い捨ておむつ１０の着用時には、起立用弾性部材２２の収縮力により、サイドシート１５の内方端がトップシート１２の上方、すなわち着用者の肌に向かって立ち上がる。これにより、尿等の排泄物の左右方向ｘの外方への漏れが防止される。サイドシート１５は、液不透過性のプラスチックフィルムや撥水性不織布等により構成されることが好ましく、撥水性の不織布により構成されることがより好ましい。サイドシートが不織布により構成される場合、目付は、好ましくは５ｇ／ｍ2〜３５ｇ／ｍ2である。
【００６７】
使い捨ておむつ１０の股部Ｒの左右側端部１９には、レッグ用弾性部材２１が伸張状態で、サイドシート１５とバックシート１３との間に配されている。レッグ用弾性部材２１の収縮力により、着用者の脚周りに沿ったレッグギャザーが形成され、股部からの尿等の排泄物の漏れが防止される。
【００６８】
使い捨ておむつ１０の前後方向ｙの端部２０には、ウェスト用弾性部材２３が伸張状態で、トップシート１２またはサイドシート１５とバックシート１３との間に配されている。ウェスト用弾性部材２３の収縮力により、着用者の胴周りに沿ったウェストギャザーが形成され、背中側や腹部側からの尿等の排泄物の漏れが防止される。
【００６９】
使い捨ておむつ本体１１の後背部Ｑの左右の側端部１８には、図４に示された止着テープ１が取り付けられている。止着テープ１は、固定部４でサイドシート１５とバックシート１３との間に接合され、使い捨ておむつ１０の外方に延出するように設けられている。前腹部Ｐには、バックシート１３上に止着対応部１６が設けられている。
【００７０】
図８の後背部Ｑの右側の側端部１８（図面の右側であり、着用した際に着用者の右側に位置する）に取り付けられた止着テープ１は、つまみ部６が折り返されずに留め具３が露出している状態が示されている。使い捨ておむつ１０を着用する際には、止着テープ１はこの状態で使用される。
【００７１】
図８の後背部Ｑの左側の側端部１８（図面の左側であり、着用した際に着用者の左側に位置する）に取り付けられた止着テープ１は、中間部５とつまみ部６との境界でつまみ部６が折り返されて留め具３が中間部５に接合されている。使い捨ておむつ１０が未使用の状態では、止着テープ１はこの状態になっていることが好ましい。つまみ部６が折り返されて留め具３が中間部５に取り外し可能に接合されていれば、使い捨ておむつ１０が未使用の状態で留め具３が意図せず他部材に接合しなくなり、使い捨ておむつ１０の取り扱い性が向上する。
【００７２】
止着テープ１は、使い捨ておむつ１０が未使用の状態では、つまみ部６が折り返されて留め具３が中間部５に接合され、さらに固定部４と中間部５との境界で使い捨ておむつ本体１１の側縁に沿って折り返され、使い捨ておむつ本体１１の内面上に折り畳まれていることも好ましい。例えば、使い捨ておむつ１０が未使用で梱包容器に入っている状態では、止着テープ１がこのように折り畳まれることにより、使い捨ておむつ１０がコンパクトになり好ましい。
【符号の説明】
【００７３】
１：  止着テープ
２：  テープ基材
３：  留め具
４：  固定部
５：  中間部
６：  つまみ部
７：  薄肉部
８：  Ｖ字形状の谷間
１０：  使い捨ておむつ
１１：  使い捨ておむつ本体
１６：  止着対応部
【図１】
2011200336.tif 000003
【図２】
2011200336.tif 000004
【図３】
2011200336.tif 000005
【図４】
2011200336.tif 000006
【図５】
2011200336.tif 000007
【図６】
2011200336.tif 000008
【図７】
2011200336.tif 000009
【図８】
2011200336.tif 000010
【図９】
2011200336.tif 000011